(57)【特許請求の範囲】
【請求項１】
手首と肘との間から手に亘る範囲を覆う部分と、前記手首と肘との間から手に亘る範囲を覆う部分に繋がり肘より上の腕を覆う部分とを一体に設けた作業用手袋であって、前記手首と肘との間から手に亘る範囲を覆う部分およびこの部分に繋がる肘より上の腕を覆う部分はともに編成により作られた繊維製原手の表面に天然ゴムあるいは合成ゴムあるいは合成樹脂などの被膜材料を付着させて作られ、前記手首と肘との間から手に亘る範囲を覆う部分の原手の厚さおよび編密度に比べて手首と肘との間から手に亘る範囲を覆う部分の原手に繋がり肘より上の腕を覆う部分の原手の厚さを細い糸を使って薄くするとともに編密度を大きくし、前記肘より上の腕を覆う部分の原手の表面に付着される被膜の厚さを前記手首と肘との間から手に亘る範囲を覆う部分の原手の表面に付着される被膜の厚さよりも薄くしてなることを特徴とする作業用手袋。
【発明の詳細な説明】
【０００１】
【発明の属する技術分野】
本発明は漁業や農業などにおける種々の作業に適した作業用手袋に関するものである。
【０００２】
【従来の技術】
従来、漁業や農業などにおける種々の作業用として手を覆う部分から連続して肘より上の腕を覆う部分を備えた作業用手袋が知られている。
【０００３】
この従来の作業用手袋は手に装着したときに、肘より上の腕をも覆うようにするために手首と肘との間から手に亘る範囲を覆う部分に肘より上の腕を覆う部分を繋ぎ合わせてなるものが知られている。具体的には、手首と肘との間から手に亘る範囲を覆う部分は綿糸あるいは合成繊維からなる糸あるいはこれらの混合糸を用いて編成された繊維製原手の表面に天然ゴムあるいは合成ゴムあるいは合成樹脂などの被膜材料を付着させて作られ、これに樹脂材料からなり原手の表面に被膜材料を付着させている部分よりも厚さが薄いフィルムシートを材料として筒状に作られた腕覆い部を接着もしくは溶着により繋いでいる。このように、手首と肘との間から手に亘る範囲を覆う部分と肘より上の腕を覆う部分の厚さを変えて繋ぎ合わせているのは、肘より上の腕を覆う腕覆い部の厚さを薄くして作業時での肘関節部での動きに与える影響を極力少なくするためである。
【０００４】
しかしながら、このような従来の作業用手袋では手首と肘との間から手に亘る範囲を覆う部分と肘より上の腕を覆う部分との厚さを変えて繋ぎ合わせる作業が必要となり、作業効率の悪さに伴うコストアップに繋がるという問題や、繋ぎ部からの損傷が早く、長期の使用に耐えることができないという問題、特に繋ぎ部から水が浸入するという問題があった。
【０００５】
【発明が解決しようとする課題】
本発明はこのような課題を解決するもので、手首と肘との間から手に亘る範囲を覆う部分と肘より上の腕を覆う部分とを一体に製造して使い勝手の良い安価で丈夫な作業用手袋を提供することを目的とするものである。
【０００６】
【課題を解決するための手段】
この課題を解決するために本発明は、手首と肘との間から手に亘る範囲を覆う部分と、前記手首と肘との間から手に亘る範囲を覆う部分に繋がり肘より上の腕を覆う部分とを一体に設けた作業用手袋であって、前記手首と肘との間から手に亘る範囲を覆う部分およびこの部分に繋がる肘より上の腕を覆う部分はともに編成により作られた繊維製原手の表面に天然ゴムあるいは合成ゴムあるいは合成樹脂などの被膜材料を付着させて作られ、前記手首と肘との間から手に亘る範囲を覆う部分の原手の厚さおよび編密度に比べて手首と肘との間から手に亘る範囲を覆う部分の原手に繋がり肘より上の腕を覆う部分の原手の厚さを細い糸を使って薄くするとともに編密度を大きくし、前記肘より上の腕を覆う部分の原手の表面に付着される被膜の厚さを前記手首と肘との間から手に亘る範囲を覆う部分の原手の表面に付着される被膜の厚さよりも薄くしてなることを要旨とするものである。
【０００７】
この構成により、手首と肘との間から手に亘る範囲を覆う部分と、前記手首と肘との間から手に亘る範囲を覆う部分に繋がり肘より上の腕を覆う部分とを一体に設けた作業用手袋であって、手首と肘との間から手に亘る範囲を覆う部分の厚みは作業に耐えうる強度を有するように厚くし、この手首と肘との間から手に亘る範囲を覆う部分に繋がり肘より上の腕を覆う部分は肘関節部での動きに支障を与えないように薄くしてあり、使い勝手が良く、前記従来例における作業用手袋のような繋ぎ部における損傷という問題、特に繋ぎ部からの水の浸入という問題もなく、長期の使用に耐え、使い勝手の良い安価な作業用手袋を提供することができる。
【０００８】
【発明の実施の形態】
以下、本発明の一実施の形態について、図面に基づいて説明する。
図１〜図３において、１は手首と肘との間から手に亘る範囲を覆う部分、２は前記手首と肘との間から手に亘る範囲を覆う部分１に繋がり肘より上の腕を覆う部分である。
【０００９】
前記手首と肘との間から手（指先）に亘る範囲を覆う部分１およびこの部分１に繋がる肘より上の腕を覆う部分２はともに綿糸あるいは合成繊維からなる糸あるいはこれらの混合糸を用いて編成された繊維製の原手１Ａおよび２Ａの表面に天然ゴムあるいは合成ゴムあるいは合成樹脂などの被膜材料を付着させて作られるのであり、この原手１Ａおよび２Ａは原手１Ａよりも原手２Ａに使用される糸の太さを細くして原手１Ａよりも原手２Ａの厚さを薄くするとともに編密度を大きくしており、これら原手１Ａおよび２Ａを予め縫着により繋いで、この繋がれた原手１Ａ，２Ａの表面に前記被膜材料を付着させて被膜１Ｂおよび２Ｂを形成している。
【００１０】
具体的には、手首と肘との間から手に亘る範囲を覆う部分１の原手１Ａの糸の太さは綿番手３２、編密度は横３５／ｉｎｃｈ、縦３５／ｉｎｃｈであり、また肘より上の腕を覆う部分２の原手２Ａの糸の太さは綿番手６０、編密度は横４５／ｉｎｃｈ、縦４０／ｉｎｃｈであって、また手首と肘との間から手に亘る範囲を覆う部分１の原手１Ａの表面に付着される被膜１Ｂの厚さを１７０μｍとし、肘より上の腕を覆う部分２の原手２Ａの表面に付着される被膜２Ｂの厚さを１５５μｍとして、肘より上の腕を覆う部分２の原手２Ａの表面に付着される被膜２Ｂの厚さを手首と肘との間から手に亘る範囲を覆う部分１の原手１Ａの表面に付着される被膜１Ｂの厚さよりも薄くしてある。
【００１１】
上記のように原手２Ａの編密度を原手１Ａの編密度よりも大きくして、つまり編目を小さく密にしてあることにより、互いに繋がれた原手１Ａ，２Ａを被膜材料液中に浸漬、引き上げて原手１Ａ，２Ａの表面に被膜材料を付着させた状態で乾燥させて被膜を形成するとき、または原手１Ａ，２Ａに被膜材料液を流しかけて付着させ、次に余分の被膜材料液を滴下した後乾燥させて被膜を形成するとき、細い糸が使用され編目が小さく編密度の大きくなっている表面がフラットな状態に近い原手２Ａに対しては被膜材料液が編目に浸入しにくく、原手２Ａの表面に対する被膜材料液の付着量は少なくなる。一方、原手２Ａよりも太い糸が使用され編目が大きく原手２Ａの編密度よりも小さな編密度の原手１Ａの表面に対する被膜材料の付着量は原手２Ａよりも多くなる。
【００１２】
以上のように本実施の形態における作業用手袋は、手首と肘との間から手に亘る範囲を覆う部分１と、前記手首と肘との間から手に亘る範囲を覆う部分１に繋がり肘より上の腕を覆う部分２とを一体に設けた手袋であって、手首と肘との間から手に亘る範囲を覆う部分１の厚みは作業に耐えうる強度を有するように厚くし、この手首と肘との間から手に亘る範囲を覆う部分１に繋がり肘より上の腕を覆う部分２は肘関節部での動きに支障を与えないように薄くした点に特徴を有するものである。
【００１３】
【発明の効果】
以上のように本発明の作業用手袋は、手首と肘との間から手に亘る範囲を覆う部分と、前記手首と肘との間から手に亘る範囲を覆う部分に繋がり肘より上の腕を覆う部分とを一体に設けた作業用手袋であって、手首と肘との間から手に亘る範囲を覆う部分の厚みは作業に耐えうる強度を有するように厚くし、この手首と肘との間から手に亘る範囲を覆う部分に繋がり肘より上の腕を覆う部分は肘関節部での動きに支障を与えないように薄くしてあり、使い勝手が良く、前記従来例における作業用手袋のような繋ぎ部における損傷という問題、特に繋ぎ部からの水の浸入という問題もなく、長期の使用に耐え、使い勝手の良い安価な作業用手袋を提供することができる。
【図面の簡単な説明】
【図１】本発明の一実施の形態における作業用手袋の繊維製原手の説明図である。
【図２】同作業用手袋の斜視図である。
【図３】同作業用手袋の要部拡大断面図である。
【符号の説明】
１      手首と肘との間から手に亘る範囲を覆う部分
１Ａ    繊維製の原手
１Ｂ    被膜
２      肘より上の腕を覆う部分
２Ａ    繊維製の原手
２Ｂ    被膜
【図１】
0003647419.tif 000002
【図２】
0003647419.tif 000003
【図３】
0003647419.tif 000004